(57)【要約】      （修正有）【課題】部材数が少なくて済み、全体のスペースが小型化され、構造が簡単で、自動化機械を利用して量産可能である、ＬＥＤパッケージを提供する。【解決手段】赤色光（Ｒ）、緑色光（Ｇ）、青色光（Ｂ）チップ１１〜１３と、これら各チップの動作を制御するドライバユニット３０をパッケージして成り、複数組のピンを備え、各チップに第１電極と第２電極が設置され、ピンが、動作電力及び搬送波信号が入力される電源入力端子ＶＤＤと、動作電力及び搬送波信号を出力する接地端子ＶＳＳを含み、各ピンがパッケージ内部に延びる延伸部を備え、ドライバユニットが延伸部を介して電源入力端子及び接地端子と電気的に接続され、各チップの第１電極が延伸部を介して電源入力端子に接続されるか、或いは、ドライバユニットに接続され、第２電極がドライバユニットに接続される。【選択図】図２Ａ
0003202569.tif 000002
【実用新案登録請求の範囲】
【請求項１】
赤色光（Ｒ）、緑色光（Ｇ）、青色光（Ｂ）チップと、これら赤色光（Ｒ）、緑色光（Ｇ）、青色光（Ｂ）チップの動作を制御するドライバユニットとをパッケージして成るＬＥＤパッケージであって、複数組のピンを備え、かつ前記赤色光（Ｒ）、青色光（Ｂ）、緑色光（Ｇ）チップに第１電極と第２電極がそれぞれ設置され、
前記ピンが、動作電力及び搬送波信号が入力される電源入力端子と、動作電力及び搬送波信号を出力する接地端子とを含み、各ピンがさらにパッケージ内部に延びる延伸部を備え、
前記ドライバユニット及び前記赤色光（Ｒ）、緑色光（Ｇ）、青色光（Ｂ）チップが前記ＬＥＤパッケージ内部に貼付され、前記赤色光（Ｒ）、緑色光（Ｇ）、青色光（Ｂ）チップの第１電極が前記延伸部を介して前記電源入力端子に電気的に接続され、前記ドライバユニットが前記延伸部を介して前記電源入力端子及び接地端子と電気的に接続されると共に、前記ドライバユニットが金属線で前記赤色光（Ｒ）、緑色光（Ｇ）、青色光（Ｂ）チップの第２電極と相互に接続されることを特徴とする、ＬＥＤパッケージ。
【請求項２】
前記ピンが、動作電力及び搬送波信号を出力する電源出力端子を含み、前記電源出力端子がパッケージ内部に延びる延伸部を含むことを特徴とする、請求項１に記載のＬＥＤパッケージ。
【請求項３】
前記ドライバユニットが前記延伸部を介して前記電源出力端子と電気的に接続されたことを特徴とする、請求項２に記載のＬＥＤパッケージ。
【請求項４】
前記ドライバユニットが、ＬＥＤパッケージの識別番号（ｉｄｅｎｔｉｆｉｃａｔｉｏｎ  ｎｕｍｂｅｒ）を生成するエンコーダと、前記エンコーダに接続され、受信した前記搬送波信号に基づいて、前記赤色光（Ｒ）、緑色光（Ｇ）、青色光（Ｂ）チップの混光比率を調整する本体と、前記本体に接続され、少なくとも１つの隣接するＬＥＤパッケージの識別番号（ｉｄｅｎｔｉｆｉｃａｔｉｏｎ  ｎｕｍｂｅｒ）を保存するメモリと、前記本体に接続され、隣接するＬＥＤパッケージと同期して動作させる発振サイクルを生成するクロック生成器を含むことを特徴とする、請求項１に記載のＬＥＤパッケージ。
【請求項５】
赤色光（Ｒ）、緑色光（Ｇ）、青色光（Ｂ）チップと、これら赤色光（Ｒ）、緑色光（Ｇ）、青色光（Ｂ）チップの動作を制御するドライバユニットとをパッケージして成るＬＥＤパッケージであって、複数組のピンを備え、かつ前記赤色光（Ｒ）、青色光（Ｂ）、緑色光（Ｇ）チップに第１電極と第２電極がそれぞれ設置され、
前記ピンが、動作電力及び搬送波信号が入力される電源入力端子と、動作電力及び搬送波信号を出力する接地端子とを含み、各ピンがさらにパッケージ内部に延びる延伸部を備え、
前記ドライバユニットが前記ＬＥＤパッケージ内部に貼付され、前記赤色光（Ｒ）、緑色光（Ｇ）、青色光（Ｂ）チップが前記ドライバユニットの上に貼付され、前記ドライバユニットが前記延伸部を介して前記電源入力端子及び接地端子と電気的に接続されると共に、前記ドライバユニットが前記赤色光（Ｒ）、緑色光（Ｇ）、青色光（Ｂ）チップの第１電極及び第２電極と電気的に接続されることを特徴とする、ＬＥＤパッケージ。
【請求項６】
前記ピンが、動作電力及び搬送波信号を出力する電源出力端子を含み、前記電源出力端子がパッケージ内部に延びる延伸部を含むことを特徴とする、請求項５に記載のＬＥＤパッケージ。
【請求項７】
前記ドライバユニットが前記延伸部を介して前記電源出力端子と電気的に接続されたことを特徴とする、請求項６に記載のＬＥＤパッケージ。
【請求項８】
前記ドライバユニットが、ＬＥＤパッケージの識別番号（ｉｄｅｎｔｉｆｉｃａｔｉｏｎ  ｎｕｍｂｅｒ）を生成するエンコーダと、前記エンコーダに接続され、受信した前記搬送波信号に基づいて、前記赤色光（Ｒ）、緑色光（Ｇ）、青色光（Ｂ）チップの混光比率を調整する本体と、前記本体に接続され、少なくとも１つの隣接するＬＥＤパッケージの識別番号（ｉｄｅｎｔｉｆｉｃａｔｉｏｎ  ｎｕｍｂｅｒ）を保存するメモリと、前記本体に接続され、隣接するＬＥＤパッケージと同期して動作させる発振サイクルを生成するクロック生成器を含むことを特徴とする、請求項５に記載のＬＥＤパッケージ。
【考案の詳細な説明】
【技術分野】
【０００１】
本考案は、各種ＬＥＤモニターまたはストリングライト及び特殊な光線の表示に応用することができる、内部にドライバユニットを含む三原色のＬＥＤパッケージに関する。
【背景技術】
【０００２】
現在周知のフルカラーＬＥＤは、ドライバユニット、赤色光（Ｒ）、緑色光（Ｇ）、青色光（Ｂ）ＬＥＤチップ（ＬＥＤ  ｄｉｃｅ）をパッケージして成る。このフルカラーＬＥＤの構造は、相互に隣接するフルカラーＬＥＤ間の間隔を大幅に減少することはできるものの、電源入力端子、電源出力端子、クロック信号入力端子、クロック信号出力端子、制御信号入力端子及び制御信号出力端子を含む必要があり、小さいフルカラーＬＥＤにこのように多くのピンを設置することは、ＬＥＤ全体の生産性と歩留まりに影響する。
【考案の概要】
【考案が解決しようとする課題】
【０００３】
本考案が解決しようとする課題は、上述の問題を解決し、ＬＥＤ特有の多様な光線変化の特性を生かし、ピンの数が少なくて済むと共に小型化され、構造が簡単で、自動化機械を利用して量産可能である、ＬＥＤパッケージを提供することにある。
【課題を解決するための手段】
【０００４】
本考案は、赤色光（Ｒ）、緑色光（Ｇ）、青色光（Ｂ）チップと、これら赤色光（Ｒ）、緑色光（Ｇ）、青色光（Ｂ）チップの動作を制御するドライバユニットとをパッケージして成るＬＥＤパッケージに関し、複数組のピンを備え、かつ前記赤色光（Ｒ）、青色光（Ｂ）、緑色光（Ｇ）チップに第１電極と第２電極がそれぞれ設置され、前記ピンが、動作電力及び搬送波信号が入力される電源入力端子と、動作電力及び搬送波信号を送出する接地端子とを含み、各ピンがパッケージ内部に延びる延伸部を備え、前記ドライバユニット及び前記赤色光（Ｒ）、緑色光（Ｇ）、青色光（Ｂ）チップが前記ＬＥＤパッケージ内部に貼付され、前記赤色光（Ｒ）、緑色光（Ｇ）、青色光（Ｂ）チップの第１電極が前記延伸部を介して前記電源入力端子に電気的に接続され、前記ドライバユニットが前記延伸部を介して前記電源入力端子及び接地端子と電気的に接続されると共に、前記ドライバユニットが金属線で前記赤色光（Ｒ）、緑色光（Ｇ）、青色光（Ｂ）チップの第２電極と相互に接続される。
【０００５】
或いは、本考案のＬＥＤパッケージは、赤色光（Ｒ）、緑色光（Ｇ）、青色光（Ｂ）チップと、これら赤色光（Ｒ）、緑色光（Ｇ）、青色光（Ｂ）チップの動作を制御するドライバユニットとをパッケージして成り、複数組のピンを備え、かつ前記赤色光（Ｒ）、青色光（Ｂ）、緑色光（Ｇ）チップに第１電極と第２電極がそれぞれ設置され、前記ピンが、動作電力及び搬送波信号が入力される電源入力端子と、動作電力及び搬送波信号を出力する接地端子とを含み、各ピンがパッケージ内部に延びる延伸部を備え、前記ドライバユニットが前記ＬＥＤパッケージ内部に貼付され、前記赤色光（Ｒ）、緑色光（Ｇ）、青色光（Ｂ）チップが前記ドライバユニットの上に貼付され、前記ドライバユニットが前記延伸部を介して前記電源入力端子及び接地端子と電気的に接続されると共に、前記ドライバユニットが前記赤色光（Ｒ）、緑色光（Ｇ）、青色光（Ｂ）チップの第１電極及び第２電極と電気的に接続される。
【０００６】
前記ピンが、動作電力及び搬送波信号を出力する電源出力端子を含み、前記電源出力端子がパッケージ内部に延びる延伸部を含んでもよい。
この場合、前記ドライバユニットが前記延伸部を介して前記電源出力端子と電気的に接続されることがある。
前記ドライバユニットが、ＬＥＤパッケージの識別番号（ｉｄｅｎｔｉｆｉｃａｔｉｏｎ  ｎｕｍｂｅｒ）を生成するエンコーダと、前記エンコーダに接続され、受信した前記搬送波信号に基づいて、前記赤色光（Ｒ）、緑色光（Ｇ）、青色光（Ｂ）チップの混光比率を調整する本体と、前記本体に接続され、少なくとも１つの隣接するＬＥＤパッケージの識別番号（ｉｄｅｎｔｉｆｉｃａｔｉｏｎ  ｎｕｍｂｅｒ）を保存するメモリと、前記本体に接続され、隣接するＬＥＤパッケージと同期して動作させる発振サイクルを生成するクロック生成器を含むこともできる。
【考案の効果】
【０００７】
本考案のＬＥＤパッケージは、ドライバユニットを内蔵しているので、ピンの数が減少して小型化され、このため、構造が簡単で製造効率が高く、コストが低廉で済み、しかも、多数のＬＥＤパッケージを近接して、単純な配線で連結できるため、ＬＥＤパッケージを用いた装置の構造も簡略化される。
【図面の簡単な説明】
【０００８】
【図１】本考案に係るＬＥＤディスプレイシステムの概略図である。
【図２Ａ】本考案の実施例１を示すＬＥＤパッケージの概略図である。
【図２Ｂ】本考案の実施例２を示すＬＥＤパッケージの概略図である。
【図３Ａ】本考案の実施例３を示すＬＥＤパッケージの概略図である。
【図３Ｂ】本考案の実施例４を示すＬＥＤパッケージの概略図である。
【図４】本考案に係る別のＬＥＤディスプレイシステムの概略図である。
【図５Ａ】本考案の実施例５を示すＬＥＤパッケージの概略図である。
【図５Ｂ】本考案の実施例６を示すＬＥＤパッケージの概略図である。
【図６Ａ】本考案の実施例７を示すＬＥＤパッケージの概略図である。
【図６Ｂ】本考案の実施例８に係るＬＥＤパッケージの概略図である。
【図７】本考案に係るドライバユニットの概略図である。
【考案を実施するための形態】
【０００９】
以下、本考案の実施例を図面に基づいて詳細に説明する。
図１は、本考案に係るＬＥＤディスプレイシステムの概略図である。
このＬＥＤディスプレイシステムは、メインコントロール１と複数のＬＥＤパッケージ１０（Ａ〜Ｃ）を含む。
メインコントロール１は動作電源を生成し、搬送波信号ＤａｔａをＬＥＤパッケージ１０に伝送するために用いられる。
ＬＥＤパッケージ１０は、赤色光（Ｒ）、緑色光（Ｇ）、青色光（Ｂ）チップ及びドライバユニットをパッケージしたものである。
ドライバユニットはＬＥＤパッケージ１０内部に貼付して固定され、かつ赤色光（Ｒ）、緑色光（Ｇ）、青色光（Ｂ）チップと電気的接続を形成し、ドライバユニットが動作電力と搬送波信号Ｄａｔａを受け取った後、赤色光（Ｒ）、緑色光（Ｇ）、青色光（Ｂ）チップに対する制御を生成し、動作電力及び搬送波信号Ｄａｔａを送出する。
【００１０】
メインコントロール１は電源入力端子ＶＤＤと接地端子ＶＳＳを含み、動作電力及び搬送波信号Ｄａｔａを伝送し、各ＬＥＤパッケージ１０（Ａ〜Ｃ）は並列接続方式でメインコントロール１と接続される。
各ＬＥＤパッケージ１０（Ａ〜Ｃ）はさらに複数組のピンを含む。ピンは、動作電力及び搬送波信号Ｄａｔａを入力する電源入力端子、及び、動作電力及び搬送波信号Ｄａｔａを出力する接地端子を含み、各ピンはパッケージ内部に延びる延伸部（図示しない）を有する。
【００１１】
メインコントロール１はさらにＰＷＭ搬送波方式で動作電力を併入すると同時に搬送波信号Ｄａｔａを各ＬＥＤパッケージ１０（Ａ〜Ｃ）に伝送する。メインコントロール１内にはデータベース及びソフトウェアスキャンと組み合わせた光電センサーが設置され、各ＬＥＤパッケージ１０（Ａ〜Ｃ）の実際の位置を迅速に見つけ出し、正確な表示順序を指定することができる。メインコントロール１は初回の動作時に各ＬＥＤパッケージ１０（Ａ〜Ｃ）の検索注記と確認を行い、各ＬＥＤパッケージ１０（Ａ〜Ｃ）のこのディスプレイシステムにおける具体的な位置を保存して配列し直し、メインコントロール１が信号伝送を開始するとき、まずデータベースで信号伝達配列の順序を探し、１個目のＬＥＤから開始して下に向かって伝送し、原設計が表現したいパターン効果を達する。
【００１２】
図２Ａは、本考案の実施例１を示す。
実施例１において、ＬＥＤパッケージ１０のピンは電源入力端子ＶＤＤ及び接地端子ＶＳＳを含み、各ピンがハウジング２０内部に延伸されて複数の延伸部がハウジング２０内に形成される。
ドライバユニット３０は、ハウジング２０の内部に直接貼付され、かつピンの延伸部を介して電源入力端子ＶＤＤ及び接地端子ＶＳＳとワイヤボンディング（ｗｉｒｅ  ｂｏｎｄｉｎｇ）される。
【００１３】
赤色光（Ｒ）チップ１１、緑色光（Ｇ）チップ１２、青色光（Ｂ）チップ１３は、それぞれ第１電極と第２電極を備える。赤色光（Ｒ）チップ１１、緑色光（Ｇ）チップ１２、青色光（Ｂ）チップ１３は最も適した位置を選択してハウジング２０の内部に貼付され、第１電極が電源入力端子ＶＤＤの延伸部とワイヤボンディングされて電気的に接続される。また、ドライバユニット３０の制御端子が青色光（Ｂ）チップ１３、赤色光（Ｒ）チップ１１、緑色光（Ｇ）チップ１２の第２電極と、金属線でワイヤボンディングする方式で相互に接続される。
赤色光（Ｒ）チップ１１、緑色光（Ｇ）チップ１２、青色光（Ｂ）チップ１３と、ドライバユニット３０と、ピンの接続が終了した後、光透過性材質の混光樹脂が注入され、パッケージが完成される。
【００１４】
図２Ｂは、本考案の実施例２を示すＬＥＤパッケージの概略図である。
実施例２のＬＥＤパッケージ１０の赤色光（Ｒ）チップ１１、緑色光（Ｇ）チップ１２、青色光（Ｂ）チップ１３は、ドライバユニット３０に直接貼付され、かつドライバユニット３０の制御端子と電気的に接続される。
その他の構造は実施例１と同様である。
実施例２では、さらにピンのワイヤボンディング数量を減少できる。
【００１５】
実施例１及び実施例２は平面型ＬＥＤパッケージに関するが、球形ＬＥＤパッケージとすることもできる。
図３Ａは、本考案の実施例３を示す球形のＬＥＤパッケージの概略図である。
実施例３において、ＬＥＤパッケージ１０のピンは同様に、電源入力端子ＶＤＤと接地端子ＶＳＳを含み、各ピンが延伸されて複数のフレームを形成し、これらのフレームが球体の内部に設置される。
ドライバユニット３０は、接地端子ＶＳＳのフレームの上に直接貼付され、かつ電源入力端子ＶＤＤ、接地端子ＶＳＳピンとワイヤボンディング（ｗｉｒｅ  ｂｏｎｄｉｎｇ）される。
【００１６】
赤色光（Ｒ）チップ１１、緑色光（Ｇ）チップ１２、青色光（Ｂ）チップ１３は電源入力端子ＶＤＤのフレームの上に貼付され、第１電極が電源入力端子ＶＤＤのフレームとワイヤボンディングされて電気的に接続される。
また、ドライバユニット３０の制御端子が青色光（Ｂ）チップ１３、赤色光（Ｒ）チップ１１、緑色光（Ｇ）チップ１２の第２電極と、金属線でワイヤボンディングする方式で相互に接続される。
各部材間の接続が終了した後、光透過性材質の混光樹脂が注入され、球体パッケージが完成される。
【００１７】
図３Ｂは、本考案の実施例４を示す。
実施例４では、赤色光（Ｒ）チップ１１、緑色光（Ｇ）チップ１２、青色光（Ｂ）チップ１３がドライバユニット３０の上に直接貼付され、かつドライバユニット３０の制御端子と電気的に接続される。
その他の構造は、実施例３と同様である。
実施例４のＬＥＤパッケージは、実施例３に比べてピンのワイヤボンディング数量を減少できる。
【００１８】
図４に示す別のＬＥＤディスプレイシステムでは、各ＬＥＤパッケージ１０（Ａ〜Ｃ）が直列接続方式でメインコントロール１に接続されている。
図５Ａに示す実施例５のＬＥＤパッケージ１０は、実施例４に示すＬＥＤディスプレイシステムに用いられる。
実施例５のＬＥＤパッケージ１０のピンは、電源入力端子ＶＤＤ＋、動作電力及び搬送波信号Ｄａｔａを出力する電源出力端子ＶＤＤ−、接地端子ＶＳＳを含み、各ピンがハウジング２０内部まで延伸されて複数の延伸部がハウジング２０の内部に形成される。
また、ドライバユニット３０がハウジング２０の内部に直接貼付され、かつ、ピンの電源入力端子ＶＤＤ、電源出力端子ＶＤＤ−及び接地端子ＶＳＳとワイヤボンディングされる。
【００１９】
図５Ｂは、本考案の実施例６を示すＬＥＤパッケージの概略図である。
実施例６のＬＥＤパッケージ１０のピンは、実施例５と同様に、電源入力端子ＶＤＤ＋、電源出力端子ＶＤＤ−及び接地端子ＶＳＳを含み、ハウジング２０の内部に貼付されたドライバユニット３０が、ピンの電源入力端子ＶＤＤ、電源出力端子ＶＤＤ−及び接地端子ＶＳＳとワイヤボンディングされる
その他の構造は、図２Ｂに示す実施例２と類似しているため、ここでは説明を省略する。
【００２０】
図６Ａは本考案の実施例７を示す。
実施例７は、図４に示す別のＬＥＤディスプレイシステムに用いられる球形のＬＥＤパッケージ１０に関する。
実施例７において、ＬＥＤパッケージ１０のピンは、電源入力端子ＶＤＤ＋、電源出力端子ＶＤＤ−、接地端子ＶＳＳを含み、各ピンが延伸されて複数のフレームを形成し、これらのフレームが球体の内部に設置される。
ドライバユニット３０は、電源出力端子ＶＳＳのフレームの上に直接貼付され、かつピンの電源入力端子ＶＤＤ＋、電源出力端子ＶＤＤ−及び接地端子ＶＳＳとワイヤボンディングされる。
【００２１】
赤色光（Ｒ）チップ１１、緑色光（Ｇ）チップ１２、青色光（Ｂ）チップ１３は電源入力端子ＶＤＤ＋のフレームの上に貼付され、かつ、第１電極が電源入力端子ＶＤＤ＋のフレームとワイヤボンディングされて電気的に接続され、第２電極がドライバユニット３０の制御端子と電気的に接続される。
各部材間を接続した後、光透過性材質の混光樹脂が注入され、球体パッケージが完成される。
【００２２】
図６Ｂは、本考案の実施例８を示すＬＥＤパッケージの概略図である。
実施例８において、赤色光（Ｒ）チップ１１、緑色光（Ｇ）チップ１２、青色光（Ｂ）チップ１３は、ドライバユニット３０に直接貼付される。
その他の構造は、実施例７と同様なので、説明を省略する。
【００２３】
図７は、本考案のＬＥＤパッケージに搭載されるドライバユニットを示す。
ドライバユニット３０は、本体３１、エンコーダ３２、メモリ３３、クロック生成器３４を含む。
エンコーダ３２は、ＬＥＤの識別番号（ｉｄｅｎｔｉｆｉｃａｔｉｏｎ  ｎｕｍｂｅｒ）を生成するために用いられる。
本体３１は、エンコーダ３２に接続され、搬送波信号Ｄａｔａを受信した後、受信した搬送波信号Ｄａｔａに基づいて、ＬＥＤパッケージ内部の赤色光（Ｒ）、緑色光（Ｇ）、青色光（Ｂ）チップの混光比率を調整し、異なる光色を発生させる。
メモリ３３は、本体３１と接続され、少なくとも１つの隣接するＬＥＤパッケージの識別番号を保存するために用いられる。このメモリ３３は、電気的に消去可能・書き換え可能な不揮発性メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）とすることができる。
クロック生成器３４は、本体３１と接続され、発振サイクルを生成し、隣接するＬＥＤパッケージ（及びメインコントロール）と同期するために用いられる。
【００２４】
エンコーダ３２はヒューズによるブリッジング方式でこの識別番号を生成することができる。例えば、複数組に分けたヒューズによるブリッジングでバイナリコード方式によりＬＥＤをエンコードさせ、メインコントロールで近隣の各ＬＥＤパッケージに対する検出を通じて位置を確認し、ＬＥＤディスプレイシステム全体の構築を完成する。
このようにヒューズ溶断法を使用してドライバユニット３０にアドレスを付与し、ドライバユニット３０の生産コストを抑えるとともに、機密性を持たせることができる。例えば、エンコーダ３２中に予め２０個のヒューズ位置（１０組）を設け、生産検出時に強化パルス電流を与えて異なるオン／オフ（ＯＦＦ／ＯＮ）線路を形成し、その組み合わせを通じて１００万組を超える異なるアドレスを生成できる。
電源入力端子ＶＤＤ＋、電源出力端子ＶＤＤ−、接地端子ＶＳＳの入力箇所にさらに電源レギュレータ３５を設置することができる。この電源レギュレータ３５は動作電力を安定させ、微調整するために用いることができる。
【００２５】
本考案のＬＥＤパッケージを相互に連結することで、大型ＬＥＤモニターやストリングライトを構成することができる。各ＬＥＤパッケージ間はカスケード制御方式で接続され、必要に応じてＬＥＤパッケージの並列接続または直列接続の２種類の応用形式を実現し、柔軟に市場のニーズを満たすことができる。搬送波信号は外部から大型のメインコントロールを接続して生成することができ、搬送波信号には赤色光（Ｒ）、緑色光（Ｇ）、青色光（Ｂ）チップを制御するシリアルデータ（ＳＤ）が含まれ、各ＬＥＤパッケージを同期して動作させる発振サイクル（ＣＬＫ）はドライバユニットが自ら発振して生成する。
複数の電源入力端子ＶＤＤ＋は制御信号を受信した後、パルス幅変調（Ｐｕｌｓｅ  Ｗｉｄｔｈ  Ｍｏｄｕｌａｔｉｏｎ；ＰＷＭ）方式を運用して赤色光（Ｒ）、緑色光（Ｇ）、青色光（Ｂ）チップに対して光色混合制御を行い、同時に搬送波信号が電源入力端子ＶＤＤ−または接地端子ＶＳＳを通じて次のＬＥＤパッケージに伝送される。
設計者は多数のＬＥＤパッケージを連結して大型モニターを形成することができ、本考案のＬＥＤパッケージは駆動メカニズムを統合するドライバユニットを内蔵しており、かつ効果的にピンを減少しているため、各ＬＥＤパッケージ間の距離を効果的に減少し、各ＬＥＤパッケージ間の配列をより緊密にして、大型モニターによりきめ細かな画像を表示させることができる。
【００２６】
以上は、本考案の実施例の説明であって、本考案の権利範囲を限定するものではなく、本考案の実用新案登録請求の範囲を逸脱しない変更や修飾を加えることができる。
例えば、ＬＥＤパッケージの形態を円形、楕円形、円柱形、方形、ＳＭＤ形態にしたり、ＬＥＤの光色もフルカラーに限らず、単色ＬＥＤとすることも可能である。ＬＥＤパッケージのピンは２本に減少できるが、２本に限定されない。
【符号の説明】
【００２７】
１              メインコントロール
１０（Ａ〜Ｃ）  ＬＥＤ
１１            赤色光（Ｒ）チップ
１２            緑色光（Ｇ）チップ
１３            青色光（Ｂ）チップ
２０            ハウジング
３０            ドライバユニット
３１            本体
３２            エンコーダ
３３            メモリ
３４            クロック生成器
３５            電源レギュレータ
ＶＤＤ＋        電源出力端子
ＶＤＤ−        電源出力端子
ＶＳＳ          接地端子
Ｄａｔａ        搬送波信号
【図１】
0003202569.tif 000003
【図２Ａ】
0003202569.tif 000004
【図２Ｂ】
0003202569.tif 000005
【図３Ａ】
0003202569.tif 000006
【図３Ｂ】
0003202569.tif 000007
【図４】
0003202569.tif 000008
【図５Ａ】
0003202569.tif 000009
【図５Ｂ】
0003202569.tif 000010
【図６Ａ】
0003202569.tif 000011
【図６Ｂ】
0003202569.tif 000012
【図７】
0003202569.tif 000013